(57)【要約】      （修正有）【課題】  カーテンウォールの端部方立と中間方立とに同じ断面の方立を用い、端部開口部に嵌め殺し窓枠と開閉窓枠とのいずれをも選択的に取付自在とする。【解決手段】  端部方立９ａ及び中間方立９ｂは屋外側面に同一断面の固定部２３を有し、端部方立用竪補助材１１は端部方立９ａの固定部に取付けてあり、嵌め殺し窓枠１３は、端部方立側の竪枠２７及び中間方立側の竪枠２９の何れか一方の竪枠の固定部２３に対する被固定部１６を有し、端部方立用竪補助材１１は端部方立９ａの屋外側面の左右方向中間部に取付けてあり、嵌め殺し窓枠１３は、端部方立側の竪枠２７の外周側面を端部方立用竪補助材１１の内周側面と対向するようにして端部開口部２１に配置自在であり、開閉障子本体は端部方立側の竪框の外周側面を端部方立用竪補助材１１の内周側面と対向するようにして端部開口部２１に配置自在である。【選択図】図１
2006009476.tif 000002
【特許請求の範囲】
【請求項１】
無目と、方立と、端部方立用竪補助材と、嵌め殺し窓枠と、開閉障子と、屋内側竪戸当り材と、竪枠側面カバー材とを備え、方立は、端部に位置する端部方立と、端部方立の隣に位置する中間方立とであり、端部方立及び中間方立は屋外側面に同一断面の固定部を有するものであり、無目は端部方立と中間方立との間に設けた上下の無目であり、端部方立と中間方立と上下の無目とで端部開口部を形成してあり、端部方立用竪補助材は端部方立の固定部に取付けてあり、嵌め殺し窓枠は、端部方立側の竪枠及び中間方立側の竪枠の何れか一方の竪枠の固定部に対する被固定部を有し、端部方立側の竪枠の外周側面を端部方立用竪補助材の内周側面と対向するようにして端部開口部に配置自在であり、開閉障子は開閉障子本体と開閉金具とから成り、開閉障子本体は端部方立側の竪框の外周側面を端部方立用竪補助材の内周側面と対向するようにして端部開口部に配置自在であり、開閉金具は開閉障子本体と無目または方立とを開閉自在に繋ぐものであり、屋内側竪戸当り材は、中間方立の固定部と、端部方立用竪補助材の内周側における端部方立の固定部とに各々固定自在で且つ中間方立に固定した屋内側戸当り材は開閉障子本体の中間方立側の竪框の屋内側見付け面が当接するものであり、端部方立に固定した屋外側竪戸当り材は開閉障子本体の端部方立側の竪框の屋内側見付け面が当接するものであり、竪枠側面カバー材は端部方立の屋外側に配置して端部方立用竪補助材の外周側面を被覆しており、嵌め殺し窓枠及び開閉障子の何れか一方を選択して端部開口部に対して取付自在にしてあることを特徴とするカーテンウォール。
【請求項２】
端部方立用竪補助材は内周側面に係合部材を取付自在であり、嵌め殺し窓枠は端部方立側の竪枠の外周側面に被係合部を有し且つ中間方立側の竪枠の外周側面に係合部を有しており、端部方立用竪補助材の係合部材と端部方立側の竪枠の被係合部が係合してあると共に、中間方立側の竪枠の外周側面の係合部と、端部開口部に隣接する中間開口部に配置した嵌め殺し窓枠の被係合部が係合自在としてあることを特徴とする請求項１に記載のカーテンウォール。
【請求項３】
屋外側竪押縁材又は屋外側架設竪押縁材を備え、屋外側竪押縁材は、嵌め殺し窓枠の端部方立側の竪枠の屋外側に取付けるものであり、屋外側架設竪押縁材は、嵌め殺し窓枠の端部方立側の竪枠の屋外側に取付けるものであると共に竪枠側面カバー材の屋外側面に重なる重合部を有するものであることを特徴とする請求項１又は２に記載のカーテンウォール。
【請求項４】
無目及び方立は屋内側に木部材を接合しており、竪枠側面カバー材は外周側が木部材のものと金属部材のものとの少なくとも２種類から選択した一つであり、屋外側架設竪押縁材は屋外側に木部材を接合したものであることを特徴とする請求項３に記載のカーテンウォール。
【発明の詳細な説明】
【技術分野】
【０００１】
本発明は、カーテンウォールに関する。
【背景技術】
【０００２】
特許文献１には、木製の無目と中間方立とで囲まれる開口部に嵌め殺し窓枠を設けたカーテンウォールが開示されている。
非特許文献１には、そのＰ８６７の下段に示されている中間方立の断面（例えば、ＣＷ０２１０）と、Ｐ８６９の下段に示されている端部方立の断面（例えば、ＣＷ０２２２）とが異なっており、カーテンウォールの端部方立と、中間方立とでは異なる断面のものが使用されることが開示されている。
したがって、特許文献１に開示されているようなカーテンウォールにおいては端部方立と中間方立とで異なる断面のものを使用することが一般的である。
一方、カーテンウォールの端部開口部に中間開口部と異なる窓種、例えば、中間開口部に嵌め殺し窓を設け、端部開口部に開閉窓を設置する場合がある。このように、設置する窓種を異ならせる場合には、異なる断面の方立を使用せざるを得ない状況にあった。
【０００３】
【特許文献１】特開平８−３３８０９５号公報
【非特許文献１】三協アルミニウム工業株式会社発行「三協アルミ  ビル用建材  総合カタログ」  カタログ番号：ＨＨＢ００７７Ｃ  独立行政法人工業所有権総合情報館受領日：平成１６年５月１８日、Ｐ８６７、Ｐ８６９
【発明の開示】
【発明が解決しようとする課題】
【０００４】
しかし、中間開口部と端部開口部とに同種の窓を設ける場合であっても端部方立と中間方立とで異なる断面の方立を用いたり、端部開口部に設置する窓種が異なる毎に異なる断面の方立を用いたのでは、カーテンウォールの施工に複数の種類の方立を用意する必要があるためコスト高になると共に施工し難いという問題がある。
【０００５】
そこで、本発明は、カーテンウォールの端部方立と中間方立とに同じ断面の方立を用い、しかも同じ断面の方立を用いて端部開口部に嵌め殺し窓枠と開閉窓枠とのいずれをも選択的に取付自在とすることにより、コストダウンが図れ且つ施工が容易なカーテンウォールの提供を目的とする。
【課題を解決するための手段】
【０００６】
請求項１に記載の発明は、無目と、方立と、端部方立用竪補助材と、嵌め殺し窓枠と、開閉障子と、屋内側竪戸当り材と、竪枠側面カバー材とを備え、方立は、端部に位置する端部方立と、端部方立の隣に位置する中間方立とであり、端部方立及び中間方立は屋外側面に同一断面の固定部を有するものであり、無目は端部方立と中間方立との間に設けた上下の無目であり、端部方立と中間方立と上下の無目とで端部開口部を形成してあり、端部方立用竪補助材は端部方立の固定部に取付けてあり、嵌め殺し窓枠は、端部方立側の竪枠及び中間方立側の竪枠の何れか一方の竪枠の固定部に対する被固定部を有し、端部方立側の竪枠の外周側面を端部方立用竪補助材の内周側面と対向するようにして端部開口部に配置自在であり、開閉障子は開閉障子本体と開閉金具とから成り、開閉障子本体は端部方立側の竪框の外周側面を端部方立用竪補助材の内周側面と対向するようにして端部開口部に配置自在であり、開閉金具は開閉障子本体と無目または方立とを開閉自在に繋ぐものであり、屋内側竪戸当り材は、中間方立の固定部と、端部方立用竪補助材の内周側における端部方立の固定部とに各々固定自在で且つ中間方立に固定した屋内側戸当り材は開閉障子本体の中間方立側の竪框の屋内側見付け面が当接するものであり、端部方立に固定した屋外側竪戸当り材は開閉障子本体の端部方立側の竪框の屋内側見付け面が当接するものであり、竪枠側面カバー材は端部方立の屋外側に配置して端部方立用竪補助材の外周側面を被覆しており、嵌め殺し窓枠及び開閉障子の何れか一方を選択して端部開口部に対して取付自在にしてあることを特徴とする。
【０００７】
請求項２に記載の発明は、請求項１に記載の発明において、端部方立用竪補助材は内周側面に係合部材を取付自在であり、嵌め殺し窓枠は端部方立側の竪枠の外周側面に被係合部を有し且つ中間方立側の竪枠の外周側面に係合部を有しており、端部方立用竪補助材の係合部材と端部方立側の竪枠の被係合部が係合してあると共に、中間方立側の竪枠の外周側面の係合部と、端部開口部に隣接する中間開口部に配置した嵌め殺し窓枠の被係合部が係合自在としてあることを特徴とする。
【０００８】
請求項３に記載の発明は、請求項１又は２に記載の発明において、屋外側竪押縁材又は屋外側架設竪押縁材を備え、屋外側竪押縁材は、嵌め殺し窓枠の端部方立側の竪枠の屋外側に取付けるものであり、屋外側架設竪押縁材は、嵌め殺し窓枠の端部方立側の竪枠の屋外側に取付けるものであると共に竪枠側面カバー材の屋外側面に重なる重合部を有するものであることを特徴とする。
【０００９】
請求項４に記載の発明は、請求項３に記載の発明において、無目及び方立は屋内側に木部材を接合しており、竪枠側面カバー材は外周側が木部材のものと金属部材のものとの少なくとも２種類から選択した一つであり、屋外側架設竪押縁材は屋外側に木部材を接合したものであることを特徴とする。
【発明の効果】
【００１０】
請求項１に記載の発明によれば、端部方立では、屋外側面の左右方向中間部に設けた端部方立用竪補助材に竪枠側面カバー材を取付けて端部方立側の竪枠の外周側を被覆するので、屋外側面の左右片側のみに嵌め殺し窓枠を配置した場合でも、中間方立と端部方立とで屋外側面に設けてある固定部が同一断面の方立を用いることができ、コストダウンが図れ且つ施工が容易である。
端部開口部に開閉窓を設ける場合には、端部方立に取付けた端部方立用竪補助材を開閉窓竪枠として用い、端部開口部に嵌め殺し窓を設ける場合には、端部方立用竪補助材の内周側において、端部方立の固定部に嵌め殺し窓の端部方立側の竪枠を係合して取付け、中間方立の固定部に中間方立側の竪枠を取付ける。したがって、カーテンウォールの端部開口部に嵌め殺し窓と開閉窓とを選択して取付け自在である。
更に、端部開口部に開閉障子を取付ける場合には端部方立用竪補助材が開閉窓竪枠を兼ねることができ、開閉窓竪枠を設けなくて済むので、部品点数を少なくでき、コストダウンを図ることができると共に施工が容易である。
端部開口部に嵌め殺し窓と開閉窓とのいずれを取付ける場合にも共通の竪枠カバー材を用いることができるので、部品種類が少なくて済む。
嵌め殺し窓枠は、端部方立側の竪枠及び中間方立側の竪枠の何れか一方の竪枠を方立に固定する構成であり固定箇所が少なくて済むので、施工が容易にできる。
【００１１】
請求項２に記載の発明によれば、請求項１に記載の発明と同様の効果が得られると共に、隣合う嵌め殺し竪枠どうしを係合しているので嵌め殺し竪枠どうしのねじ等による固定箇所を少なくでき、嵌め殺し窓の連接が容易にできる。
【００１２】
請求項３に記載の発明によれば、請求項１又は２に記載の効果が得られると共に、屋外側竪押縁材又は屋外側架設竪押縁材を択一的に用いることにより、例えば、屋外側竪押縁材を使用して押縁材が端部竪枠側面カバー材に重ならないものとしたり、屋外側架設竪押縁材を用いて押縁材が端部竪枠側面カバー材の屋外側面に重なるようにしたりでき、屋外側から見た意匠の自由度を高めることができる。
【００１３】
請求項４に記載の発明によれば、請求項３に記載の効果が得られると共に、カーテンウォールの屋内側及び屋外側を木調にすると共に竪枠側面カバー材も木調としてカーテンウォール全体を木調にしたり、竪枠側面カバー材を金属製として一部を金属調としたりでき、意匠の自由度を高めることができる。
【発明を実施するための最良の形態】
【００１４】
以下に、添付図面を参照して本発明の実施の形態を説明するが、まず、図１〜図４を参照して本発明の第１実施の形態を説明する。図１は図４のＡ−Ａ断面図であり、図２は図４のＢ−Ｂ断面図であり、図３はＣ−Ｃ断面図であり、図４は本発明の第１実施の形態に係るカーテンウォールの一部を示す正面図である。
本実施の形態に係るカーテンウォール１では各開口部に主に嵌め殺し窓が設けてあるが、カーテンウォールの端部開口部に嵌め殺し窓３がある箇所（図４のＡ−Ａ）と開閉窓５がある箇所（図４のＢ−Ｂ）とがある。
カーテンウォール１は、無目７と、端部方立９ａと、中間方立９ｂと、端部方立用竪補助材１１と、嵌め殺し窓枠１３と、開閉障子１５と、屋内側竪戸当り材１７と、竪枠側面カバー材１９とを備えている。
端部方立９ａは、カーテンウォール１の端部に位置しており、中間方立９ｂは端部方立９ａの隣に位置し且つ端部方立９ａと屋外側面に同一断面の固定部２３を有している。端部方立９ａと中間方立９ｂとは、それぞれ屋内側に木部材Ｍを接合してある。
無目７は端部方立９ａと中間方立９ｂとに架設してあり、嵌め殺し窓３と開閉窓５との各窓の上下に設けてある。無目７は屋内側に木部材Ｍを接合してある。
端部方立９ａと、中間方立９ｂと上下の無目７、７とでカーテンウォール１の端部開口部２１を形成している。
嵌め殺し窓枠１３が設けてある端部開口部２１（図１）では、端部方立用竪補助材１１は端部方立９ａの屋外側面の左右方向中間部に取付けてある。この端部方立用竪補助材１１は、端部方立９ａの固定部２３に係合してあると共にねじ２５により固定部２３にねじ止めされている。端部方立用竪補助材１１の内周側面には係合部材２２がねじ２４で止めてある。係合部材２２には内周側面に係合凹部２２ａが形成されている。
端部方立用竪補助材１１の外周側面には、竪枠側面カバー材１９の係止部２０が設けてある。
嵌め殺し窓枠１３は、端部方立側の竪枠２７及び中間方立側の竪枠２９と、下枠３１と上枠３３とを有しており、端部方立側の竪枠２７は外周面を端部方立用竪補助材１１の内周側面に対向して設けてあり、中間方立側の竪枠２９は中間方立９ｂの固定部２３にねじ２５で固定してある。端部方立側の竪枠２７の外周面には被係合部２６が突設されており、端部方立用竪補助材１１に取付けてある係合部材２２に係合している。
中間方立側の竪枠２９の外周面には係合部３２が設けてあり、隣に連接している嵌め殺し窓３の竪枠３０の被係合部２６と係合している。
中間方立側の竪枠２９は被固定部１６を有しており、ねじ２８で中間方立の固定部２３に固定されている。
竪枠側面カバー材１９は端部方立９ａの屋外側に配置してあり、端部方立用竪補助材１１の外周側面を被覆している。この竪枠側面カバー材１９は端部方立用竪補助材１１にねじ４１で止めてあると共に、被係止４３を端部方立用竪補助材１１に設けてある係止部２０に係止して取付けてある。
竪枠側面カバー材１９は、本実施の形態では、外周側に木部材Ｍが取付けてあり、屋外側面には屋外側架設竪押縁材４３が重合している。
端部方立側の竪枠２７の屋外側には、屋外側架設竪押縁材４３が設けてある。屋外側架設竪押縁材４３は、屋外側に木部材Ｍを接合してあり、係止部４５を端部方立側の竪枠２７の外周側面に設けてある被係止部４７に係止して嵌め殺しパネル５１を屋外側から止めている。屋外側架設竪押縁材４３は、端部方立側の竪枠２７に取付けてあるパネル縁部５１ａと竪枠側面カバー材１９の屋外側面に跨って取付けてあり、竪枠側面カバー材１９の屋外側面に重なる重合部５３を有している。中間方立側の竪枠２９にも、屋外側架設竪押縁材４３が隣合う嵌め殺しパネル縁部５１ａに跨って取付けてある。
一方、端部開口部２１に開閉窓５を設けている箇所（図２）では、端部方立９ａに端部方立用竪補助材１１を取付けてあり、中間方立９ｂには連接している嵌め殺し窓の竪枠５５が取付けてあり、方立用補助材１１と嵌め殺し窓の竪枠５５とが開閉障子１５の開閉窓竪枠を兼ねている。
開閉障子１５は開き窓の障子であり、開閉障子本体３５と開閉金具３７とから成り、開閉金具３７は開閉障子本体３５と無目７とに固定して無目７に対して開閉障子１５を開閉自在に繋いでいる。本実施の形態では開閉金具３７は上下に連接している嵌め殺し窓枠の上枠３３と下枠３１とに固定して間接的に上下の無目７、７に固定している。
開閉障子本体３５は端部方立側の竪框３９の外周側面を端部方立用竪補助材１１の内周側面１１ａと対向して配置してある。この開閉窓にある端部方立用竪補助材１１には、嵌め殺し窓３にある端部方立用竪補助材１１と異なり係合部材２２が取付けていない。
屋内側竪戸当り材１７は、端部方立９ａの屋外側面で且つ端部方立用竪補助材１１の内周側に固定したものと、中間方立９ｂの屋外側面に固定したものとがあり、各々ねじ１８で端部方立９ａと中間方立９ｂに固定されている。端部方立９ａに固定した屋内側竪戸当り材１７には開閉障子本体３５の端部方立側の竪框３９の屋内側見付け面１９ａが当接し、中間方立９ｂに固定した屋内側竪戸当り材１７には開閉障子本体３５の中間方立側の竪框４０の屋内側見付け面４０ａが当接している。
竪枠側面カバー材１９は端部方立９ａの屋外側に配置してあり、端部方立用竪補助材１１の外周側面を被覆している。この竪枠側面カバー材１９は端部方立用竪補助材１１にねじ４１で止めてあると共に、被係止４３を端部方立用竪補助材１１に設けてある係止部２０に係止して取付けてある。
竪枠側面カバー材１９は、外周側に木部材Ｍが取付けてある。開閉障子１５が取付けてある端部開口部２１の端部方立９ａには嵌め殺し窓枠を取付ける場合（図１）と異なり、屋外側架設竪押縁材４３は設けていない。
【００１５】
次に、本実施の形態に係るカーテンウォール１の施工、作用及び効果について説明する。
カーテンウォール１の端部に開閉窓５を設ける箇所（図２）の施工では、端部方立９ａの屋外側面の固定部２３には左右方向中間部に端部方立用竪補助材１１をねじ２５で止め、端部方立用竪補助材１１の内周側に屋外側竪戸当り材１７をねじ１８で止めて、端部方立用竪補助材１１の外周側面に竪枠側面カバー材１９をねじで止める。尚、中間方立９ａの屋外側面の固定部２３にも屋外戸当り材１７をねじ４１で止める。また、開閉障子本体３５と無目とを開閉障子金具３７で繋ぐ。
一方、端部に嵌め殺し窓３を設ける箇所（図１）の施工では、予め端部方立用竪補助材１１の内周側面に係合部材２２をねじ２４で止めておき、端部方立９ａの固定部２３には、屋外側面の左右方向中間部に端部方立用竪補助材１１をねじ２５で止め、端部方立用竪補助材１１の内周側に取付けた係合部材２２に端部方立側の竪枠２７の被係合部２６を係合する。端部方立用竪補助材１１の外周側面には竪枠側面カバー材１９をねじ４１で止める。中間方立９ｂの屋外側面に設けた固定部２３には、中間方立側の竪枠２９の被固定部１６をねじ２８で止める。そして、下の無目７に下枠３１を取付け上の無目７には上枠３３を取付けて、嵌め殺し枠１３を形成する。そして、嵌め殺し枠１３に嵌め殺しパネル５１を嵌め込んだ後に、屋外側から屋外側架設竪押縁材４３を端部方立側の竪枠２７と竪枠側面カバー材１９の屋外側面とに跨って取付ける。
本実施の形態によれば、端部方立９ａでは、屋外側面の左右方向中間部に設けた端部方立用竪補助材１１に竪枠側面カバー材１９を取付けて端部方立側の竪枠２７の外周側を被覆するので、中間方立９ａと端部方立９ｂとに同一断面の固定部２３を有する方立を用いることができ、コストダウンが図れ且つ施工が容易である。
端部開口部２１に開閉窓５を設ける場合には、端部方立９ａに取付けた端部方立用竪補助材１１を開閉窓竪枠として用い、端部開口部２１に嵌め殺し窓３を設ける場合には、端部方立用竪補助材１１の内周側に端部方立側の竪枠２７を取付けるので、カーテンウォール１の端部開口部２１に嵌め殺し窓枠１３と開閉障子１５とのいずれをも選択的に取付け自在である。
更に、端部開口部２１に開閉障子１５を取付ける場合には、端部方立用竪補助材１１が開閉窓の竪枠を兼ねることができ、開閉窓竪枠を設けなくて済むので、部品点数を少なくでき、コストダウンを図ることができると共に施工が容易である。
端部開口部２１に嵌め殺し窓３と開閉窓５とのいずれを取付ける場合にも共通の竪枠カバー材１９を用いることができるので、部品種類が少なくて済む。
また、端部開口部２１に嵌め殺し窓枠１３と開閉障子１５とのいずれを設けた場合でも、端部方立９ａに端部方立用竪補助材１１を取付けるとともに端部方立用竪補助材１１に竪枠側面カバー材１９を取付けて端部方立用竪補助材１１の外周側を被覆できるので、外観が良く且つ施工が容易である。
嵌め殺し窓枠１３は、中間方立側の竪枠２９の被固定部１６を中間方立９ｂの固定部２３にねじ２８で固定し、端部方立側の竪枠２７は端部方立９ａの固定部２３にねじ固定していないから、固定箇所が少なくて済むので、施工が容易にできる。
端部方立側の竪枠２７は端部方立用竪補助材１１に係合して取付けているので、ねじ等による固定箇所が少なくて済み取付けが容易にでき、且つ中間方立９ｂにおいては、中間方立側の竪枠２９に設けた係合部３２と連接する嵌め殺し窓枠の竪枠５５の被係合部２６と係合しているので、嵌め殺し窓の連接が容易にできる。
屋外側架設竪押縁材４３は端部方立９ａにおいても中間方立９ｂと同様に取付けることができ、しかも端部方立９ａと中間方立９ｂとで同じ押縁材を用いることができるので、部品種類を少なくできるとともに施工が容易である。
上下の無目７、７及び端部方立９ａ、中間方立９ｂは屋内側を木部材Ｍとし屋外側架設竪押縁材４３は屋外側に木部材Ｍを接合し、且つ竪枠側面カバー材１９も室外側に木部材Ｍを設けて、カーテンウォール１全体を木調にしているので、外観が良い。
次に、図５〜図７を参照して本発明の第２実施の形態について説明するが、以下に説明する実施の形態において、上述した実施の形態と同一の作用効果を奏する部分には同一の符号を付することによってその部分の詳細な説明を省略し、以下の説明では第１実施の形態と異なる点を主に説明する。図５は本発明の第２実施の形態に係るカーテンウォールを図４のＡ−Ａに対応した位置で切断した断面図であり、図６は第２実施の形態に係るカーテンウォールを図４のＢ−Ｂに対応した位置で切断した断面図であり、図７は第２実施の形態に係るカーテンウォールを図４のＣ−Ｃに対応した位置で切断した断面図である。
この第２実施の形態では、竪枠側面カバー材１９と屋外側竪押縁材５７を金属製としており、且つ第１実施の形態で用いた屋外側架設竪押縁材４３に換えて屋外側竪押縁材５７を用いている点が上述した第１実施の形態と異なっている。
第２実施の形態では屋外側を金属調とする施工ができると共に、第１実施の形態と竪枠側面カバー材１９と屋外側竪押縁材５７とが異なるのみで、他の部材は共通して用いることができる。したがって、本発明によれば、第１実施の形態に係るカーテンウォールのように屋外側を木調としたり、第２実施の形態に係るカーテンウォールのように屋外側を金属調としたりする意匠の変更が容易にでき、意匠選択の自由度が高い。
この第２実施の形態においても、上述した実施の形態と同様に、カーテンウォールの端部開口部２１に嵌め殺し窓枠１３と開閉障子１５とのいずれをも選択して取付けることができる。また、嵌め殺し窓枠１３と開閉障子１５とのいずれを取付ける場合でも、端部方立用竪補助材１１に竪枠側面カバー材１９を取付けて端部方立用竪補助材１１の外周側を被覆できるので、外観が良く且つ施工が容易である。嵌め殺し窓３と開閉窓５とで共通の竪枠カバー材１９を用いることができるので、部品点数が少なくて済む。
端部方立側の竪枠２７は端部方立用竪補助材１１に係合して取付けているので、ねじ等による固定箇所が少なくて済み取付けが容易にでき、且つ中間方立９ｂにおいては隣合う嵌め殺し竪枠２９、３０どうしを係合部３２と被係合部２６とで係合しているので、嵌め殺し窓の連接が容易にできる。
【００１６】
本発明は、上述した実施の形態に限らず、本発明の要旨を逸脱しない範囲で種々変形可能である。
例えば、開閉金具３７は無目７、７に直接固定するものであってもよく、また方立９ａ、９ｂに間接又は直接固定して方立９ａ、９ｂと開閉障子本体３５とを繋ぐものであってもよい。また、開閉障子１５は、竪すべり出し窓、内倒し障子、外倒し障子や突き出し障子であってもよい。
端部方立用竪補助材１１に取付けた係合部材２２と端部方立側の竪枠２７の被係合部２６の係合は、いずれが凸状や凹状であってもよい。同様に、中間方立側の竪枠２９の係合部３２とこれに連接する嵌め殺し窓の竪枠３０の被係合部２６との係合もいずれが凸状や凹状であってもよい。
嵌め殺し窓枠１３は、中間方立側の竪枠２９に被固定部１６を設けないで、端部方立側の竪枠２７に被固定部１６を設けて端部方立９ａの固定部２３にねじで固定してもよい。
端部方立９ａと中間方立９ｂとは、少なくとも固定部２３の断面が同一であればよく、端部方立９ａの断面が中間方立９ｂの断面よりも屋内外方向の寸法が長かったり、端部方立９ａと中間方立９ｂとの断面が室内側で異なる形状であってもよい。
第１実施の形態において竪枠側面カバー材１９を金属製としてもよいし、第２実施の形態において竪枠側面カバー材の外周側を木部材としてもよい。
請求項１〜３に記載の発明にあっては、端部方立９ａ、中間方立９ｂや上下の無目７、７のいずれかを金属製としたり、すべてを金属製とするものであってもよい。
【図面の簡単な説明】
【００１７】
【図１】図４のＡ−Ａ断面図である。
【図２】図４のＢ−Ｂ断面図である。
【図３】図４のＣ−Ｃ断面図である。
【図４】本発明の第１実施の形態に係るカーテンウォールの一部を示す正面図である。
【図５】本発明の第２実施の形態に係るカーテンウォールであって、図４のＡ−Ａに対応した位置で切断した断面図である。
【図６】本発明の第２実施の形態に係るカーテンウォールであって、図４のＢ−Ｂに対応した位置で切断した断面図である。
【図７】本発明の第２実施の形態に係るカーテンウォールであって、図４のＣ−Ｃに対応した位置で切断した断面図である。
【符号の説明】
【００１８】
１      カーテンウォール
７      無目
９ａ    端部方立
９ｂ    中間方立
１１    端部方立用竪補助材
１３    嵌め殺し窓枠
１５    開閉障子
１６    被固定部
１７    屋内側竪戸当り材
１９    竪枠側面カバー材
２１    端部開口部
２２    係合部材
２３    固定部
２６    被係合部
２７    端部方立側の竪枠
２９    中間方立側の竪枠
３１    下枠
３２    係合部
３３    上枠
３５    開閉障子本体
３７    開閉金具
３９    端部方立側の竪框
４３    屋外側架設竪押縁材
５３    重合部
５７    屋外側竪押縁材
【図１】
2006009476.tif 000003
【図２】
2006009476.tif 000004
【図３】
2006009476.tif 000005
【図４】
2006009476.tif 000006
【図５】
2006009476.tif 000007
【図６】
2006009476.tif 000008
【図７】
2006009476.tif 000009